(57)【要約】【課題】内側面から立体部が立ち上がるシート本体が閉じてしまうことを簡単に防止できるシート状印刷物を提供すること。【解決手段】谷折線１１で開閉し、閉じたときに対向する第１内側面１２ａ及び第２内側面１２ｂを内側面１２に有したシート本体１０と、シート本体１０を開くと内側面１２から立ち上がる立体部２０と、を備え、立体部２０は、第１内側面１２ａに接着された第１糊代部２１と、第１内側面１２ａ及び第２内側面１２ｂに接着された第２糊代部２２と、第１糊代部２１と第２糊代部２２の間に位置する起立部２３と、第２糊代部２の端部に形成され、シート本体１０を閉じると起立部２３の後側に折り込まれ、シート本体１０を開くと起立部２３の側方に飛び出す飛出し領域２９を有する折込部２４と、を有している。飛出し領域２９には、起立部２３の側縁２３ｃが入り込む凹部２９ａが形成されている。【選択図】図２
2019214186.tif 000002
【特許請求の範囲】
【請求項１】
谷折線で開閉可能に折り畳まれたシート本体と、前記シート本体を開いたときに前記シート本体の内側面から立ち上がる立体部と、を備えたシート状印刷物であって、
前記シート本体の内側面は、前記シート本体を閉じたときに互いに対向する第１内側面と、第２内側面と、を有し、
前記立体部は、前記第１内側面に接着された第１糊代部と、前記第１内側面及び前記第２内側面に接着され、前記谷折線に重複する折曲線で折り曲げられる第２糊代部と、前記第１糊代部と前記第２糊代部の間に位置して前記第１糊代部及び前記第２糊代部を覆う起立部と、前記折曲線に沿った前記第２糊代部の端部の少なくとも一方に形成され、前記シート本体を閉じたときに前記起立部の後側に折り込まれる折込部と、を有し、
前記折込部は、前記シート本体を開いたときに前記起立部の側方に飛び出す飛出し領域を有し、前記飛出し領域には、前記シート本体を開いたときに前記起立部の側縁が入り込む凹部が形成されている
ことを特徴とするシート状印刷物。
【請求項２】
請求項１に記載されたシート状印刷物において、
前記折込部は、前記折曲線の端部から延在すると共に前記第１内側面に対して谷折りされる第１谷折線と、前記折曲線の端部から延在すると共に前記第２内側面に対して谷折りされる第２谷折線と、前記折曲線の端部から延在すると共に前記第１谷折線と前記第２谷折線の間に位置する山折線とによって折り曲げられ、
前記飛出し領域は、前記第２谷折線と前記山折線とによって区画されている
ことを特徴とするシート状印刷物。
【請求項３】
請求項１又は請求項２に記載されたシート状印刷物において、
前記凹部の内側には、前記起立部の側縁が差し込まれる切込みが形成されている
ことを特徴とするシート状印刷物。
【請求項４】
請求項１から請求項３のいずれか一項に記載されたシート状印刷物において、
前記折込部は、前記折曲線に沿った前記第２糊代部の両端部にそれぞれ形成され、前記飛出し領域は、前記起立部の両側方からそれぞれ飛び出す
ことを特徴とするシート状印刷物。
【請求項５】
請求項１から請求項４のいずれか一項に記載されたシート状印刷物において、
前記起立部は、前記第１内側面から起立する第１起立領域と、前記第２内側面から起立する第２起立領域と、を有し、
前記第２起立領域は、紙片の周縁を差し込み可能な複数の第２切込みが形成されている
ことを特徴とするシート状印刷物。
【請求項６】
請求項１から請求項５のいずれか一項に記載されたシート状印刷物において、
前記起立部は、前記第１内側面から起立する第１起立領域と、前記第２内側面から起立する第２起立領域と、を有し、
前記第１起立領域と前記第２起立領域とは、前記起立部から突出する突出片と、前記突出片の両側に位置する一対の第２山折線とによって区画され、
前記突出片は、前記第１起立領域又は前記第２起立領域を切り込むことで形成されている
ことを特徴とするシート状印刷物。
【発明の詳細な説明】
【技術分野】
【０００１】
本発明は、開閉可能に折り畳まれたシート本体を開いたとき、シート本体の内側面から立体部が立ち上がるシート状印刷物に関する発明である。
【背景技術】
【０００２】
従来、二つ折りされたシート本体を開き、このシート本体の内側面から立体部を起立させた際、立体物の自立姿勢を維持させてシート本体が閉じることを防止するために、シート本体の折り目付近の左右端部に箱状ロック構造物を設けたシート状印刷物が知られている（例えば、特許文献１参照）。
【先行技術文献】
【特許文献】
【０００３】
【特許文献１】特許第５０３５６４９号
【発明の概要】
【発明が解決しようとする課題】
【０００４】
ところで、従来のシート状印刷物では、箱状ロック構造物が、背面板と耳片と折込み片と蓋板片と、を有している。そして、この箱状ロック構造物は、立体部を起立させた状態で、耳片を内側に折り込んだ後、折込み片を背面板に折り込むことで形成される。つまり、この従来のシート状印刷物において、シート本体の展開状態を維持するためには、シート本体を開いた状態で箱状ロック構造物を組み立てる必要がある。そのため、手間が掛り、面倒であった。
【０００５】
そこで、本発明は、シート本体を開いて内側面から立体部を起立させた際、シート本体が閉じてしまうことを簡単に防止できるシート状印刷物を提供することを目的としている。
【課題を解決するための手段】
【０００６】
上記目的を達成するため、本発明は、谷折線で開閉可能に折り畳まれたシート本体と、前記シート本体を開いたときに前記シート本体の内側面から立ち上がる立体部と、を備えたシート状印刷物である。
前記シート本体の内側面は、前記シート本体を閉じたときに互いに対向する第１内側面と、第２内側面と、を有している。
前記立体部は、前記第１内側面に接着された第１糊代部と、前記第１内側面及び前記第２内側面に接着され、前記谷折線に重複する折曲線で折り曲げられる第２糊代部と、前記第１糊代部と前記第２糊代部の間に位置して前記第１糊代部及び前記第２糊代部を覆う起立部と、前記折曲線に沿った前記第２糊代部の端部の少なくとも一方に形成され、前記シート本体を閉じたときに前記起立部の後側に折り込まれる折込部と、を有している。
そして、前記折込部は、前記シート本体を開いたときに前記起立部の側方に飛び出す飛出し領域を有し、前記飛出し領域には、前記シート本体を開いたときに前記起立部の側縁が入り込む凹部が形成されている。
【発明の効果】
【０００７】
よって、本発明のシート状印刷物では、シート本体を開いたとき、起立部の側方に飛び出した折込部の飛出し領域に形成された凹部に、起立部の側縁が入り込み、この飛出し領域と起立部が互いに噛み合った状態で起立する。これにより、シート本体を折り畳もうとすると、起立部が飛出し領域に干渉し、起立部の起立状態が維持される。よって、二つ折りのシート本体を開いて内側面から立体部を起立させた際、シート本体が閉じてしまうことを簡単に防止できる。
【図面の簡単な説明】
【０００８】
【図１】実施例１のシート状印刷物の閉じた状態を示す外観斜視図である。
【図２】実施例１のシート状印刷物の開いた状態を示す外観斜視図である。
【図３】実施例１のシート状印刷物の開いた状態における分解斜視図である。
【図４】実施例１の立体部を開いた状態で背面から見たときの斜視図である。
【図５】実施例１の立体部の展開図である。
【図６Ａ】実施例１のシート状印刷物を開くときの説明図であり、閉じ状態を示す。
【図６Ｂ】実施例１のシート状印刷物を開くときの説明図であり、開き途中を示す。
【図６Ｃ】実施例１のシート状印刷物を開くときの説明図であり、９０°開き状態を示す。
【図６Ｄ】実施例１のシート状印刷物を開くときの説明図であり、飛出し領域係止状態を示す。
【図６Ｅ】実施例１のシート状印刷物を開くときの説明図であり、開き完了状態を示す。
【発明を実施するための形態】
【０００９】
以下、本発明のシート状印刷物を実施するための形態を、図面に示す実施例１に基づいて説明する。
【００１０】
（実施例１）
実施例１におけるシート状印刷物１は、谷折線１１で開閉可能に二つ折りに折り畳まれるシート本体１０と、このシート本体１０を開いたときにシート本体１０の内側面１２から立ち上がる立体部２０と、を備えたポップアップカードである。実施例１のシート状印刷物１では、立体部２０に写真やカード等の紙片Ｓを差し込み可能な複数の切込み２７が形成されており、フォトフレームやカードホルダとしても用いることができる。
【００１１】
シート本体１０は、厚紙によって形成された縦長状の紙片であり、内側面１２及び外側面１３に任意の印刷（不図示）が施されている。ここで、シート本体１０の内側面１２は、シート本体１０を閉じたときに互いに対向する第１内側面１２ａと、第２内側面１２ｂと、を有している。また、谷折線１１は、シート本体１０を上下に二分する位置に設けられている。
【００１２】
立体部２０は、厚紙によって形成された縦長状の紙片であり（図５参照）、第１糊代部２１と、第２糊代部２２と、起立部２３と、折込部２４と、を有している。
【００１３】
第１糊代部２１は、立体部２０の上端縁２０ａに沿って設けられ、山折りされる第１区画線２５ａによって区画されている。この第１糊代部２１は、表面に接着剤が塗布されて、シート本体１０の第１内側面１２ａに接着される。なお、第１内側面１２ａには、第１糊代部２１が接着される第１接着領域１４ａが設定されている。
【００１４】
第２糊代部２２は、立体部２０の下端縁２０ｂに沿って設けられ、山折りされる第２区画線２５ｂによって区画されている。さらに、この第２糊代部２２は、山折りされる折曲線２５ｃによって上下に二分されている。そして、第２糊代部２２は、表面に接着剤が塗布され、下端縁２０ｂと折曲線２５ｃの間の領域が第１内側面１２ａに接着され、第２区画線２５ｂと折曲線２５ｃの間の領域が第２内側面１２ｂに接着される。なお、シート本体１０の内側面１２には、第１内側面１２ａ及び第２内側面１２ｂに跨って、第２糊代部２２が接着される第２接着領域１４ｂが設定されている。また、第２糊代部２２がシート本体１０に接着されたとき、谷折線１１と折曲線２５ｃが重複する。
【００１５】
起立部２３は、第１糊代部２１を区画する第１区画線２５ａと、第２糊代部２２を区画する第２区画線２５ｂの間に位置し、立体部２０がシート本体１０に対して接着されたときに第１糊代部２１及び第２糊代部２２を覆う。なお、起立部２３の表面には、任意の印刷（不図示）が施されている。
【００１６】
また、この起立部２３は、シート本体１０を開いたとき、第１内側面１２ａから起立する第１起立領域２３ａと、第２内側面１２ｂから起立する第２起立領域２３ｂと、を有している。ここで、第１起立領域２３ａと第２起立領域２３ｂとは、突出片２６ａと、突出片２６ａの両側に位置する一対の山折線２６ｂ，２６ｂ（第２山折線）と、によって区画されている。
突出片２６ａは、第１起立領域２３ａを切り込むことで形成され、シート本体１０を開いたときに起立部２３から突出する（図２参照）。
【００１７】
さらに、第２起立領域２３ｂには、写真やカード等の紙片Ｓの縁部を差し込み可能な複数の切込み２７（第２切込み）が形成されている。なお、ここでは、第２区画線２５ｂの近傍両側部に一つずつ切込み２７が形成されている。
【００１８】
折込部２４は、第２糊代部２２の折曲線２５ｃに沿った左右両端部にそれぞれ設けられ、第２糊代部２２に対して、第１谷折線２８ａ及び第２谷折線２８ｂを介して区画されている。ここで、第１谷折線２８ａは、折曲線２５ｃの端部２５ｃ´と立体部２０の下端縁２０ｂの端部２０ｂ´との間に延在されている。また、第２谷折線２８ｂは、折曲線２５ｃの端部２５ｃ´と第２区画線２５ｂの端部２５ｂ´から僅かに側方に突出した位置との間に延在されている。
【００１９】
各折込部２４は、第１内側面１２ａに対して第１谷折線２８ａが谷折りされ、第２内側面１２ｂに対して第２谷折線２８ｂが谷折りされる。さらに、折曲線２５ｃの端部２５ｃ´から延在すると共に、第１谷折線２８ａと第２谷折線２８ｂの間に位置する山折線２８ｃが山折りされる。これにより、各折込部２４は、シート本体１０を閉じたときに起立部２３の後側に折り込まれる。つまり、折込部２４は、シート本体１０を閉じた際、第２起立領域２３ｂと第１内側面１２ａとの間で中割折りされる。
【００２０】
さらに、各折込部２４は、第２谷折線２８ｂ及び山折線２８ｃによって区画され、シート本体１０を開いたときに起立部２３の側方に飛び出す飛出し領域２９を有している。この、飛出し領域２９の周縁には、シート本体１０を開いたときに起立部２３の第２起立領域２３ｂの側縁２３ｃが入り込む凹部２９ａが形成されている。
【００２１】
凹部２９ａは、飛出し領域２９の周縁を内側に向けてへこませることで形成されている。この凹部２９ａの内側には、第２起立領域２３ｂの側縁２３ｃを差し込み可能な切込み２９ｂが形成されている。
【００２２】
実施例１におけるシート状印刷物１の作用を説明する。
ポップアップカードであるシート状印刷物１は、一般的に配布したり収納したりするときには、図１に示すように、シート本体１０を谷折線１１で折り畳み、内側面１２を中にして閉じた状態にする。
【００２３】
一方、このシート状印刷物１を使用するときには、図２に示すように、内側面１２が露出するようにシート本体１０を開いた状態にする。ここで、シート本体１０を閉じている状態から開いていくとき、立体部２０は、図６Ａ〜図６Ｅに示すように変形していく。
【００２４】
すなわち、シート本体１０が閉じているときには、図６Ａに示すように、谷折線１１と一体になって折曲線２５ｃが山折りされると共に、一対の山折線２６ｂ，２６ｂが山折りされる。これにより、第２糊代部２２のうちの第１内側面１２ａに接着された領域と、第１糊代部２１及び第１起立領域２３ａとが、折り返された状態になる。
【００２５】
また、このとき折込部２４は、第１，第２谷折線２８ａ，２８ｂがいずれも谷折りされ、山折線２８ｃが山折りされることで、折り返された部分（第２糊代部２２のうちの第１内側面１２ａに接着された領域と、第１糊代部２１及び第１起立領域２３ａ）と第２起立領域２３ｂとの間に折り込まれている。
【００２６】
そして、シート本体１０を開いていくと、図６Ｂに示すように、第１内側面１２ａが起立するに伴って、起立部２３が第２区画線２５ｂを起点に次第に起立していく。このとき、第２糊代部２２は、折曲線２５ｃから徐々に開いていく。また、起立部２３は、第１起立領域２３ａと第２起立領域２３ｂとが一対の山折線２６ｂ，２６ｂから徐々に開いていく。
【００２７】
シート本体１０を開き角度が９０°になるまで開くと、図６Ｃに示すように、立体部２０は、第１区画線２５ａ、一対の山折線２６ｂ，２６ｂ、第２区画線２５ｂ、折曲線２５ｃのそれぞれで９０°に山折りされた状態になり、シート本体１０の内側面１２から立ち上がる。
【００２８】
一方、このとき、折込部２４は、開いた状態になるものの、飛出し領域２９は第２起立領域２３ｂの背面に干渉し、第２起立領域２３ｂの後側で起立した状態となる。
【００２９】
そこで、図６Ｄに示すように、シート本体１０を開き角度が９０°以上になるまで開き、第２起立領域２３ｂによって折込部２４を折込内側から押しつぶす。これにより、折込部２４が押し開かれ、飛出し領域２９が、第２起立領域２３ｂの側方に突出する。
【００３０】
飛出し領域２９が突出するまでシート本体１０を開いたら、開き角度が９０°になるまでシート本体１０を閉じ戻す。これにより、図６Ｅに示すように、一旦押し開かれた折込部２４が再び折り曲げられ、第２起立領域２３ｂの側方に突出した飛出し領域２９は、第２起立領域２３ｂの後側に入り込んでいく。ここで、飛出し領域２９の周縁には、凹部２９ａが形成されている。このため、折込部２４が折り込まれることで、第２起立領域２３ｂの後側に向かって移動していく飛出し領域２９と、第２起立領域２３ｂの側縁２３ｃが干渉し、凹部２９ａに第２起立領域２３ｂの側縁２３ｃが入り込む。これにより、飛出し領域２９は、第２起立領域２３ｂの背面から立ち上り、凹部２９ａよりも上側の部分が第２起立領域２３ｂの前面に干渉することになる。この結果、シート本体１０を閉じようとしても、第２起立領域２３ｂが飛出し領域２９に干渉するので、シート本体１０が閉じてしまうことを防止できる。
【００３１】
しかも、第２起立領域２３ｂの側縁２３ｃを飛出し領域２９の凹部２９ａに入り込ませるには、シート本体１０を開き角度が９０°以上になるまで開いて飛出し領域２９を第２起立領域２３ｂの側方に飛び出させてから、シート本体１０を閉じ戻す。そのため、組み立ての手間がかからず、飛出し領域２９を第２起立領域２３ｂに対して容易に干渉させることができる。よって、二つ折りのシート本体１０が閉じてしまうことを簡単に防止できる。
【００３２】
また、このシート状印刷物１では、折込部２４が、第１谷折線２８ａ及び第２谷折線２８ｂと、これらの間に位置する山折線２８ｃとによって折り曲げられ、第２起立領域２３ｂの後側に折り込まれる。そして、飛出し領域２９は、第２谷折線２８ｂと山折線２８ｃとによって区画されている。
【００３３】
これにより、飛出し領域２９は、シート本体１０を開く際、第２起立領域２３ｂの背面に沿って移動することになる。そのため、この第２起立領域２３ｂを飛出し領域２９に形成された凹部２９ａに確実に差し込むことができ、シート本体１０が閉じてしまうことを適切に防止することができる。
【００３４】
さらに、この実施例１では、凹部２９ａの内側に切込み２９ｂが形成されている。そのため、第２起立領域２３ｂの側縁２３ｃを凹部２９ａに入り込ませた際、切込み２９ｂにこの側縁２３ｃを差し込こんで、第２起立領域２３ｂと飛出し領域２９とを噛み合わせ状態にすることができる。これにより、第２起立領域２３ｂを凹部２９ａから外れにくくすることができ、シート本体１０が閉じてしまうことをより強固に防止することができる。
【００３５】
また、折込部２４は、折曲線２５ｃに沿った第２糊代部２２の両端部にそれぞれ設けられている。そして、各折込部２４が有する飛出し領域２９は、第２起立領域２３ｂの両側方からそれぞれ飛び出す。これにより、第２起立領域２３ｂは、図２に示すように、左右の側縁２３ｃがそれぞれ飛出し領域２９の凹部２９ａに差し込まれる。そのため、第２起立領域２３ｂは左右の側縁２３ｃがそれぞれ支持され、シート本体１０が閉じてしまうことを、さらに安定的に防止することができる。
【００３６】
そして、実施例１のシート状印刷物１では、起立部２３が、第１内側面１２ａから起立する第１起立領域２３ａと、第２内側面１２ｂから起立する第２起立領域２３ｂと、を有している。そして、この第１起立領域２３ａと第２起立領域２３ｂとは、第１起立領域２３ａを切り込むことで形成されて起立部２３から突出する突出片２６ａと、この突出片２６ａの両側に位置する一対の山折線２６ｂ，２６ｂとによって区画されている。
【００３７】
そのため、シート本体１０を開いて谷折線１１で直角に開くと、立体部２０が立ち上がると共に、第１起立領域２３ａと第２起立領域２３ｂとが互いに直交する。さらに、この第１起立領域２３ａと第２起立領域２３ｂとの境界位置から突出片２６ａが突出する。ここで、突出片２６ａが第１起立領域２３ａを切り込むことで形成されているので、第２起立領域２３ｂと突出片２６ａとが一体になり、第２内側面１２ｂから起立する第２起立領域２３ｂを目立たせることが可能となる。
【００３８】
しかも、この実施例１では、第２起立領域２３ｂに、紙片の周縁を差し込み可能な複数の切込み２７が形成されている。そのため、写真やカードのような紙片の周縁を切込み２７に差し込むことで、第２起立領域２３ｂに沿って紙片を保持することができ、シート状印刷物１をフォトフレームやカードスタンドとして用いることができる。
【００３９】
以上、本発明のシート状印刷物を実施例１に基づき説明してきたが、具体的な構成については、この実施例に限られるものではなく、特許請求の範囲の各請求項に係る発明の要旨を逸脱しない限り、設計の変更や追加等は許容される。
【００４０】
上記実施例１では、起立部２３が、突出片２６ａ及び一対の山折線２６ｂ，２６ｂによって区画された第１起立領域２３ａと第２起立領域２３ｂとを有する例を示した。しかしながら、これに限らない。突出片２６ａを、第２起立領域２３ｂを切り込むことで形成してもよい。この場合では、第１起立領域２３ａと突出片２６ａとを一体にすることができる。また、第１起立領域２３ａと第２起立領域２３ｂとを、直線状の一本の山折線によって区画してもよい。
【００４１】
また、実施例１では、シート本体１０が谷折線１１で二つ折りされる例を示したが、これに限らない。例えば、シート本体１０が三つ折りや四つ折りに折り畳まれるものであってもよい。
【符号の説明】
【００４２】
１        ：シート状印刷物
１０      ：シート本体
１１      ：谷折線
１２      ：内側面
１２ａ    ：第１内側面
１２ｂ    ：第２内側面
２０      ：立体部
２１      ：第１糊代部
２２      ：第２糊代部
２３      ：起立部
２３ａ    ：第１起立領域
２３ｂ    ：第２起立領域
２３ｃ    ：側縁
２４      ：折込部
２６ａ    ：突出片
２６ｂ    ：山折線（第２山折線）
２７      ：切込み（第２切込み）
２８ａ    ：第１谷折線
２８ｂ    ：第２谷折線
２８ｃ    ：山折線
２９      ：飛出し領域
２９ａ    ：凹部
２９ｂ    ：切込み
Ｓ        ：紙片
【図１】
2019214186.tif 000003
【図２】
2019214186.tif 000004
【図３】
2019214186.tif 000005
【図４】
2019214186.tif 000006
【図５】
2019214186.tif 000007
【図６Ａ】
2019214186.tif 000008
【図６Ｂ】
2019214186.tif 000009
【図６Ｃ】
2019214186.tif 000010
【図６Ｄ】
2019214186.tif 000011
【図６Ｅ】
2019214186.tif 000012